(57)【要約】【課題】人感センサ部の故障の有無を自動的に検知することが可能な照明器具を提供する。【解決手段】光源部１を点灯させる点灯回路部２と、人Ｈの存在を検知して検知信号を出力する人感センサ部３と、該人感センサ部３からの上記検知信号を受けて光源部１を点灯させるように点灯回路部２を制御する制御部４とを有する照明器具１０であり、人感センサ部３は、光源部１の点灯から消灯あるいは、消灯から点灯の少なくとも一方の状態の変化を検出可能であるとともに該人感センサ部３が上記検出に基づいて検出信号を出力し、制御部４は、該制御部４が光源部１を点灯あるいは消灯の少なくとも一方に制御する制御信号を点灯回路部２へ出力した際に、光源部１を点灯あるいは消灯に制御する上記制御信号の出力から所定の時間内において、人感センサ部３が検出する上記検出信号がなければ人感センサ部３の故障と判断する。【選択図】図１
2012155874.tif 000002
【特許請求の範囲】
【請求項１】
照明光を照射する光源部を点灯させる点灯回路部と、人の存在を検知して検知信号を出力する人感センサ部と、該人感センサ部からの前記検知信号を受けて前記光源部を点灯させるように前記点灯回路部を制御する制御部とを有する照明器具であって、
前記人感センサ部は、前記光源部の点灯から消灯あるいは、消灯から点灯の少なくとも一方の状態の変化を検出可能であるとともに該人感センサ部が前記検出に基づいて検出信号を出力し、前記制御部は、該制御部が前記光源部を点灯あるいは消灯の少なくとも一方に制御する制御信号を前記点灯回路部へ出力した際に、前記光源部を点灯あるいは消灯に制御する前記制御信号の出力から所定の時間内において、前記人感センサ部が検出する前記検出信号がなければ前記人感センサ部の故障と判断することを特徴とする照明器具。
【請求項２】
前記制御部が前記点灯回路部を制御することにより前記光源部を点灯状態にさせるに先立って、前記制御部は、前記光源部が点灯と消灯とを繰り返す点滅状態とする前記制御信号を前記点灯回路部に出力することを特徴とする請求項１に記載の照明器具。
【請求項３】
前記制御部が前記点灯回路部を制御することにより前記光源部を消灯状態とした後に、前記制御部は、前記光源部が点灯と消灯とを繰り返す点滅状態とする前記制御信号を前記点灯回路部に出力することを特徴とする請求項１に記載の照明器具。
【請求項４】
前記制御部から一定時間ごとに前記光源部が点灯と消灯とを繰り返す点滅状態とする前記制御信号を前記点灯回路部に出力することを特徴とする請求項２または請求項３に記載の照明器具。
【請求項５】
前記制御部は、外部に別途に設けられた制御機器からの点検信号に基づいて、前記光源部が点灯と消灯とを繰り返す点滅状態とする前記制御信号を前記点灯回路部に出力することを特徴とする請求項１ないし請求項３のいずれか１項に記載の照明器具。
【請求項６】
前記制御部は、該制御部が前記人感センサ部を故障と判断した場合、前記人感センサ部からの前記検知信号の有無にかかわらず、前記光源部を予め記憶された所定の状態に点灯させる制御内容に基づいて前記点灯回路部を制御することを特徴とする請求項１ないし請求項５のいずれか１項に記載の照明器具。
【請求項７】
前記制御部からの制御により前記人感センサ部の故障を報知する報知部を有することを特徴とする請求項１ないし請求項６のいずれか１項に記載の照明器具。
【発明の詳細な説明】
【技術分野】
【０００１】
本発明は、人の存在を検知する人感センサ部を備えた照明器具に関する。
【背景技術】
【０００２】
従来より、人の存在を検知する人感センサ部を備え、人感センサ部の検知結果に基づいて照明光を照射する光源部の点灯や消灯を制御する照明器具が知られている。
【０００３】
この種の照明器具として、たとえば、図９に示すように、検知エリア内の人の存在を検知して検知信号を出力する人感センサ部３と、人感センサ部３からの検知信号に基づいて蛍光灯などの光源部１の点灯を制御する制御部４とを備えた照明器具１０が知られている（たとえば、特許文献１参照）。
【０００４】
上述の特許文献１の照明器具１０は、人感センサ部３として、人から放射される熱線による温度の変化を検出する焦電素子を備えている。照明器具１０は、人感センサ部３が人の存在を検知することで検知信号を出力し、検知信号に基づいて制御部４が光源部１を点灯させる。照明器具１０は、光源部１の点灯状態を保持する所定の点灯保持時間の間に、人感センサ部３が検知信号を制御部４に出力しなければ、制御部４が光源部１を消灯するように構成している。これによって、照明器具１０は、人の存在を検知して光源部１から照明光を照射させることができる。
【０００５】
なお、上述の照明器具１０では、リモコン信号受信部１１を備え、外部のリモコン送信機１２からの赤外線ないしは電波を媒体とするリモコン信号を受信可能に構成されている。リモコン送信機１２は、リモコン信号受信部１１を介して制御部４に指示を与える照明器具１０の操作部として機能する。制御部４は、リモコン送信機１２からの指示により、たとえば、人が退室ないし外出時に光源部１のみを消灯するように制御し、光源部１の消灯後、自動的に人感センサ部３が人の存在を検知するセンサモードに再び復帰することが可能に構成されている。
【先行技術文献】
【特許文献】
【０００６】
【特許文献１】特開平１０−３２０９０号公報
【発明の概要】
【発明が解決しようとする課題】
【０００７】
ところで、人感センサ部３が故障中の照明器具１０では、人感センサ部３の故障状態によって、人の存在を示す検知信号、人の不在を示す非検知信号、検知信号と非検知信号とが不安定に入れ替わるなど様々な信号が人感センサ部３から制御部４に出力される。照明器具１０では、故障した人感センサ部３からの信号に基づいて、制御部４が光源部１を連続的な点灯状態、連続的な消灯状態、点灯と消灯とを繰り返す点滅状態などさせてしまう。照明器具１０は、実際には人が存在していても人感センサ部３の故障で、光源部１を消灯させる状態も発生させてしまう。
【０００８】
そのため、人感センサ部３の検知信号に基づいて光源部１の点灯状態を制御する照明器具１０では、人感センサ部３が故障した場合、照明光を利用する利用者の視認性を確保するなどの目的のために光源部１を連続的に点灯させることが好ましい、と考えられる。
【０００９】
しかしながら、照明器具１０は、上述したように故障した人感センサ部３からは様々な信号が出力されるため、人感センサ部３からの信号に基づいて故障の有無を判断することが難しい。
【００１０】
そのため、照明器具１０における人感センサ部３の故障の有無を検知する場合、たとえば、検査員が照明器具１０の設置場所まで行って人感センサ部３が故障かどうかの確認を行う必要がある。具体的には、まず、人感センサ部３に検知されないように検査員が動かずに待機する。次に、検査員は、照明器具１０の光源部１が消灯するのを待ってから、検査員が動くことで人感センサ部３に検査員を検知させて光源部１を点灯させることにより、人感センサ部３が故障しているか否かを確認する。すなわち、検査員が、人感センサ部３が故障かどうかの確認を行うのに時間と手間が掛かるという問題がある。
【００１１】
本発明は上記事由に鑑みて為されたものであり、その目的は、人感センサ部の故障の有無を自動的に検知することが可能な照明器具を提供することにある。
【課題を解決するための手段】
【００１２】
本発明の照明器具は、照明光を照射する光源部を点灯させる点灯回路部と、人の存在を検知して検知信号を出力する人感センサ部と、該人感センサ部からの上記検知信号を受けて上記光源部を点灯させるように上記点灯回路部を制御する制御部とを有する照明器具であって、上記人感センサ部は、上記光源部の点灯から消灯あるいは、消灯から点灯の少なくとも一方の状態の変化を検出可能であるとともに該人感センサ部が上記検出に基づいて検出信号を出力し、上記制御部は、該制御部が上記光源部を点灯あるいは消灯の少なくとも一方に制御する制御信号を上記点灯回路部へ出力した際に、上記光源部を点灯あるいは消灯に制御する上記制御信号の出力から所定の時間内において、上記人感センサ部が検出する上記検出信号がなければ上記人感センサ部の故障と判断することを特徴とする。
【００１３】
この照明器具において、上記制御部が上記点灯回路部を制御することにより上記光源部を点灯状態にさせるに先立って、上記制御部は、上記光源部が点灯と消灯とを繰り返す点滅状態とする上記制御信号を上記点灯回路部に出力することが好ましい。
【００１４】
この照明器具において、上記制御部が上記点灯回路部を制御することにより上記光源部を消灯状態とした後に、上記制御部は、上記光源部が点灯と消灯とを繰り返す点滅状態とする上記制御信号を上記点灯回路部に出力することが好ましい。
【００１５】
この照明器具において、上記制御部から一定時間ごとに上記光源部が点灯と消灯とを繰り返す点滅状態とする上記制御信号を上記点灯回路部に出力することが好ましい。
【００１６】
この照明器具において、上記制御部は、外部に別途に設けられた制御機器からの点検信号に基づいて、上記光源部が点灯と消灯とを繰り返す点滅状態とする上記制御信号を上記点灯回路部に出力することが好ましい。
【００１７】
この照明器具において、上記制御部は、該制御部が上記人感センサ部を故障と判断した場合、上記人感センサ部からの上記検知信号の有無にかかわらず、上記光源部を予め記憶された所定の状態に点灯させる制御内容に基づいて上記点灯回路部を制御することが好ましい。
【００１８】
この照明器具において、上記制御部からの制御により上記人感センサ部の故障を報知する報知部を有することが好ましい。
【発明の効果】
【００１９】
本発明の照明器具では、人感センサ部の故障の有無を自動的に検知することが可能になるという効果がある。
【図面の簡単な説明】
【００２０】
【図１】実施形態１の照明器具を示す概略構成ブロック図である。
【図２】同上の焦電素子を備えた人感センサ部の検知動作を説明する動作説明図である。
【図３】同上の焦電素子を備えた人感センサ部を有する照明器具の状態を説明する状態説明図である。
【図４】同上の電波式ドップラーセンサ素子を備えた人感センサ部の検知動作を説明する動作説明図である。
【図５】同上の電波式ドップラーセンサ素子を備えた人感センサ部を有する照明器具の状態を説明する状態説明図である。
【図６】同上の照明器具における制御動作を示し、（ａ）は光源部の点灯制御を示すタイミング図、（ｂ）は人感センサ部の検知を示すタイミング図である。
【図７】実施形態３の照明器具を備えた照明制御システムの概略構成ブロック図である。
【図８】同上の照明器具における制御動作を示し、（ａ）は人感センサ部による点検を行わない場合の光源部の点灯制御を示すタイミング図、（ｂ）は人感センサ部の点検時における光源部の点灯制御および人感センサ部の検知を示すタイミング図である。
【図９】従来の照明器具を示す概略構成ブロック図である。
【発明を実施するための形態】
【００２１】
（実施形態１）
以下、本実施形態の照明器具１０について図１ないし図６を用いて説明する。なお、図中において、同じ部材に対しては、同じ番号を付して重複する説明を省略する。
【００２２】
本実施形態の照明器具１０は、図１に示すように、照明光を照射する光源部１を点灯させる点灯回路部２と、検知エリア内の人Ｈの存在を検知（図１の二点鎖線を参照）して検知信号を出力する人感センサ部３と、該人感センサ部３からの上記検知信号を受けて光源部１を点灯させるように点灯回路部２を制御する制御部４とを有する。
【００２３】
照明器具１０は、人感センサ部３が光源部１の点灯から消灯、あるいは、消灯から点灯の少なくとも一方の状態の変化を検出可能であるとともに該人感センサ部３が上記検出（図１の一点鎖線を参照）に基づいて検出信号を出力する。特に、照明器具１０は、制御部４が光源部１を点灯あるいは消灯の少なくとも一方に制御する制御信号を点灯回路部２へ出力した際に、光源部１を点灯あるいは消灯に制御する上記制御信号の出力から所定の時間内において、人感センサ部３が検出する検出信号がなければ人感センサ部３の故障として判断する。
【００２４】
また、本実施形態の照明器具１０では、制御部４が人感センサ部３を故障と判断したときに、照明器具１０の外部に人感センサ部３の故障を知らせることができる通信部５を有しており、制御部４と通信部５とを電気的に接続させている。同様に、照明器具１０は、制御部４からの制御により人感センサ部３の故障を報知する報知部７を有している。照明器具１０は、制御部４が人感センサ部３を故障と判断したときに、報知部７を用いて外部に人感センサ部３の故障を知らせることができるように、制御部４と報知部７とを電気的に接続させている。
【００２５】
次に、本実施形態の照明器具１０に用いられる人感センサ部３の検知動作および照明器具１０の状態について、図２ないし図５を参照して説明する。
【００２６】
照明器具１０は、人感センサ部３として、図示していない焦電素子を備えて構成させた場合、たとえば、図２に示すように、人感センサ部３の検知範囲における領域Ｓ１内で人Ｈから放射される熱線に基づく熱の変化を検知すれば人Ｈが存在すると判断することができる。すなわち、照明器具１０は、図２（ａ）の人感センサ部３の検知範囲における領域Ｓ１では、人Ｈを検知することができないが、図２（ｂ）の領域Ｓ１において人Ｈの腕による熱の変化を検知することにより、人Ｈが存在すると判断することができる。なお、図２中の人Ｈのドットは、ドット密度が高いほど高温であることを例示している。
【００２７】
ところで、照明器具１０は、図３（ａ）に示すように、たとえば、一端が開口した箱状の器具本体２１と、器具本体２１の対向する内側面側に設けられ光源部１たる蛍光灯２１の口金に給電する一対のソケット２２ａ，２２ａと、器具本体２１の内底面側に配置させた人感センサ部３とを有している。器具本体２１の内部に配置される蛍光灯２２は、ソケット２２ａから給電されて点灯する。なお、点灯回路部２や制御部４は、適宜に、器具本体２１の内部に配置させればよいが、図３中では図示していない。
【００２８】
ここで、照明器具１０は、一般に、光源部１の点灯に伴い光源部１たる蛍光灯２２自体が発熱する。そのため、蛍光灯２２の点灯時（消灯から点灯の状態変化）や消灯時（点灯から消灯の状態変化）において、蛍光灯２２の温度が変化する。特に、照明器具１０では、点灯時や消灯時に蛍光灯２２自体が急激な温度変化を生ずる。特に、検知範囲に光源部１が存在する場合、人感センサ部３は、人Ｈの存在の有無にかかわらず、蛍光灯２２の点灯時や消灯時の急激な温度変化を受けて熱の変化を焦電素子が検出することで、人Ｈが存在するとして信号を出力する。
【００２９】
また、照明器具１０は、人感センサ部３の検知範囲に光源部１が配置されていない構造とした場合であっても、図３（ｂ）に示すように、照明器具１０の器具本体２１の内部で蛍光灯２２からの熱が伝搬し加熱される領域Ｒ１が存在する。照明器具１０では、蛍光灯２２からの熱が人感センサ部３の検知範囲に温度変化の影響を及ぼし、人感センサ部３から人Ｈが存在するとして信号を出力する場合がある。そのため、人感センサ部３は、蛍光灯２２の点灯時や消灯時の急激な温度変化を受けた熱の変化により、人Ｈの存在の有無にかかわらず、人Ｈが存在すると判断する恐れがある。
【００３０】
また、照明器具１０は、上述の焦電素子を備えた人感センサ部３の代わりに、電波式ドップラーセンサ素子を備えた人感センサ部３を用いて構成させることもできる。この場合、照明器具１０は、図３（ｂ）と同様に、焦電素子を備えた人感センサ部３の代わりに電波式ドップラーセンサ素子を備えた人感センサ部３を器具本体２１内に配置させた構成とすればよい。電波式ドップラーセンサ素子は、電波式ドップラーセンサ素子から送信した電波が物体に当たって反射して返ってきた電波を受信し、送信した電波と受信した電波の周波数の違いを検知する。照明器具１０では、人感センサ部３が電波式ドップラーセンサ素子から送信された電波と反射して受信した電波との周波数の違いを検知すれば、人Ｈが存在すると判断することができる。
【００３１】
図４（ａ）に示すように、検知対象の人Ｈが静止している場合、たとえば、図示しない電波式ドップラーセンサ素子から送信された送信波ＴＷ１が静止している人Ｈに当たって反射して返ってきた反射波ＲＷ１の周波数は、送信波ＴＷ１の周波数と同じとなる。これに対し、電波式ドップラーセンサ素子から送信された送信波ＴＷ１の周波数は、人Ｈが動いている場合、図４（ｂ）に示すように、人Ｈに当たって反射して返ってきた反射波ＲＷ２の周波数との間に違いが生じる。すなわち、反射波ＲＷ２の周波数は、電波式ドップラーセンサ素子から送信された送信波ＴＷ１の周波数と異なる周波数（以下、ドップラー周波数ともいう）となる。人感センサ部３は、電波式ドップラーセンサ素子が送信した送信波ＴＷ１の周波数と、動いている人Ｈに当たって反射して返ってきた反射波ＲＷ２の周波数との違いを検知することで、人Ｈが存在するとして信号を出力することできる。
【００３２】
次に、電波式ドップラーセンサ素子を備えた人感センサ部３を器具本体２１内に配置させた構成の照明器具１０において、直管形の蛍光管２２における長軸方向に垂直な断面を図５で示す。照明器具１０は、図５において、人感センサ部３における検知範囲となる電波式ドップラーセンサ素子から送信波ＴＷ１が送信される電波輻射範囲Ｓ２に光源部１が配置されるように人感センサ部３を設けている。
【００３３】
この場合、照明器具１０内では、図５（ａ）に示すように、蛍光灯２２の定常的な点灯状態において、電波式ドップラーセンサ素子から送信された送信波ＴＷ１が光源部１で反射される。人感センサ部３では、送信波ＴＷ１と実質的に同じ周波数の反射波ＲＷ１を受信する。
【００３４】
同様に、蛍光灯２２の定常的な消灯状態における照明器具１０内では、図５（ｂ）に示すように、電波式ドップラーセンサ素子から送信された送信波ＴＷ１が光源部１で反射される。人感センサ部３では、送信波ＴＷ１と実質的に同じ周波数の反射波ＲＷ１を受信する。
【００３５】
これに対し、蛍光灯２２の点灯時や消灯時における照明器具１０内では、図５（ｃ）に示すように、電波式ドップラーセンサ素子から送信された送信波ＴＷ１に対する光源部１の反射の状態が一時的に不安定となる。そのため、蛍光灯２２の点灯時や消灯時における照明器具１０内では、光源部１で反射された反射波ＲＷ１、ＲＷ２のうち、一部の反射波ＲＷ２の周波数に変化が生じてしまう場合ある。この場合、照明器具１０では、人感センサ部３により光源部１から電波式ドップラーセンサ素子が送信した送信波ＴＷ１とは異なる周波数の反射波ＲＷ２を検出することで、人Ｈの存在の有無にかかわらず、人Ｈが存在すると判断する恐れがある。
【００３６】
すなわち、人感センサ部３を備えた照明器具１０は、人感センサ部３の動作原理上、照明器具１０における光源部１の点灯時や消灯時に光源部１の状態の変化に反応して人感センサ部３が検知信号を出力する場合がある。照明器具１０は、一般に、光源部１の点灯時や消灯時など、光源部１の点灯状態の変化に反応して人感センサ部３が検出信号を検出して誤作動を生じないように電波輻射範囲Ｓ２に人感センサ部３を配置させない構造としていると考えれる。
【００３７】
本実施形態の照明器具１０は、上述した人感センサ部３の動作原理を利用して、人感センサ部３の故障が検知可能なものである。
【００３８】
以下、照明器具１０の動作について図６を参照しながら説明する。なお、図６はタイミングチャート図であり、（ａ）は光源部１の状態、（ｂ）は人感センサ部３の出力を示している。
【００３９】
たとえば、時間ｔ０から時間ｔ１の間において、人感センサ部３の検知範囲に人Ｈが存在しておらず、図６（ｂ）に示すように照明器具１０では、人感センサ部３から検知信号が出力されていない。そのため、照明器具１０は、図６（ａ）に示すように、制御部４が点灯回路部２を制御して、光源部１を消灯状態としている。
【００４０】
また、照明器具１０では、たとえば、時間ｔ１において、人感センサ部３の検知範囲に人Ｈが入ってきて、図６（ｂ）に示すように人感センサ部３から検知信号が出力される。照明器具１０では、図６（ａ）に示すように、制御部４が人感センサ部３からの検知信号に基づいて点灯回路部２を制御して時間ｔ２から光源部１を点灯させる。照明器具１０は、たとえば、図６（ａ）に示すように、光源部１が消灯しているときに、人感センサ部３からの検知信号があれば人Ｈが存在すると判断し、制御部４からの上記制御信号により点灯回路部２を点灯制御させて光源部１を点灯させればよい。
【００４１】
ここで、本実施形態の照明器具１０には、点灯回路部２が光源部１を点灯させてから一定の時間（たとえば、１０秒）の間、光源部１の点灯を維持するように点灯維持時間が設定されている。そのため、図６（ｂ）に示すように、上記点灯維持時間よりも短い時間ｔ３から時間ｔ４の時間内に人感センサ部３から検知信号が出力されていない場合でも、照明器具１０の制御部４は、光源部１から照明光が照射され続けるように点灯回路部２を制御している。また、照明器具１０は、時間ｔ４から時間ｔ５までの間、人感センサ部３が検知範囲の人Ｈの存在を検知して再び検知信号を制御部４に出力している。そのため、照明器具１０は、人感センサ部３からの検知信号に基づいて、時間ｔ５における検知信号の立下りから上記点灯維持時間の間、制御部４が光源部１の点灯を維持させている。なお、照明器具１０は、たとえば、制御部４を構成するマイクロコンピュータのタイマ部（図示していない）が、人感センサ部３からの検知信号の立上り（たとえば、時間ｔ１や時間ｔ４）、或いは立下り（たとえば、時間ｔ３や時間ｔ５）に同期して上記点灯維持時間のカウントダウンを行う。照明器具１０は、検知信号の立上りや立下りから設定された上記点灯維持時間の間、制御部４が人感センサ部３から検知信号を受けると上記点灯維持時間のリセットを行い、再び上記点灯維持時間のカウントダウンを行う。すなわち、照明器具１０は、制御部４が上記点灯維持時間のカウントダウンの開始と上記点灯維持時間のリセットとを、人感センサ部３からの検知信号に基づき繰り返し行いながら光源部１の点灯状態を維持すればよい。なお、タイマ部は、カウントダウンを行うだけでなく、所定のカウントとなるまでカウントアップすることによって点灯維持時間の計測を行ってもよい。
【００４２】
また、照明器具１０では、時間ｔ５から時刻ｔ６まで、人感センサ部３から検知信号を出力していない。この場合、照明器具１０の制御部４は、時間ｔ５から時間ｔ６までの上記点灯維持時間の間、一度もタイマ部をリセットすることなく上記点灯維持時間の残存時間をカウントダウンする。すなわち、照明器具１０の制御部４は、人感センサ部３からの検知信号がなくなると点灯回路部２を制御して直ちに光源部１を消灯させるのではなく、上記点灯維持時間中は光源部１の点灯を維持させている。
【００４３】
照明器具１０は、時間ｔ６の時点で上記点灯維持時間の残存時間が０時間となり、制御部４が図６（ａ）に示すように、点灯回路部２を制御して光源部１を消灯させる。ここで、本実施形態の照明器具１０では、人感センサ部３が正常であれば、図６（ｂ）に示すように、所定の時間（たとえば、１秒）内に、人感センサ部３が光源部１の点灯から消灯の状態の変化を検出して検出信号（たとえば、時間ｔ６から時間ｔ７の検出信号）を制御部４に出力する。すなわち、照明器具１０は、制御部４が光源部１を消灯に制御する制御信号を点灯回路部２へ出力した際に、光源部１を消灯に制御する制御信号の出力から所定の時間（たとえば、１秒）内において、制御部４が人感センサ部３からの検出信号を検出すれば人感センサ部３を故障がないとする。
【００４４】
なお、図示していないが、照明器具１０は、制御部４が光源部１の消灯を制御する制御信号を点灯回路部２へ出力した際（たとえば、時間ｔ６の立下り）に、光源部１を消灯に制御する制御信号の出力から所定の時間（たとえば、１秒）内において人感センサ部３からの検出信号がなければ人感センサ部３の故障と判断する。
【００４５】
照明器具１０は、人感センサ部３を故障と判断した後では、人感センサ部３からの検知信号の有無にかかわらず、制御部４が光源部１を所定の状態に点灯させる予め記載された制御内容に基づいて点灯回路部２を制御する。照明器具１０の制御部４は、たとえば、制御部４に内蔵する記憶部８に予め記憶させた光源部１の制御内容にしたがって点灯回路部２を制御することで、光源部１を連続的な点灯状態や一定のパターンで点滅する点滅状態など所定の状態にさせればよい。照明器具１０の光源部１が連続的な点灯状態や点滅状態となることで、利用者に人感センサ部３が故障していることを照明光により視覚的に喚起させることができる。
【００４６】
同様に、照明器具１０は、制御部４からの制御により人感センサ部３の故障を報知する報知部７を備え、制御部４が、人感センサ部３を故障と判断した場合、制御部４が、制御部４と電気的に接続された報知部７から報知音を発生させることができる。また、照明器具１０は、制御部４からの制御により人感センサ部３の故障の有無を外部に出力する通信部５を備え、制御部４が、人感センサ部３を故障と判断した場合、制御部４が、制御部４と電気的に接続された通信部５を介して後述する外部の制御機器６に故障信号を出力することもできる。
【００４７】
なお、本実施形態の照明器具１０は、制御部４が人感センサ部３からの検知信号に基づいて光源部１の点灯や消灯を制御するだけに限られず、光源部１から照射させる照明光の明るさを変化させることができるように点灯回路部２を制御することもできる。同様に、照明器具１０は、光源部１に異なる発光色が発光可能な複数種の発光ダイオードを用いた場合、制御部４が人感センサ部３からの検知信号に基づいて光源部１から照射させる照明光の色温度を変化させるように点灯回路部２を制御してもよい。
【００４８】
以下、照明器具１０の各構成について詳述する。
【００４９】
照明器具１０に用いられる光源部１としては、蛍光灯２２などの放電灯だけに限られず、発光ダイオード、水銀灯や白熱電灯などを用いることができる。光源部１は、制御部４からの制御信号に基づいた点灯回路部２からの給電により点灯が制御される。
【００５０】
点灯回路部２は、光源部１の種類に応じて適宜に設定すればよく、たとえば、光源部１が蛍光灯２２である場合、インバータ回路を用いた電子安定器を用いればよい。また、光源部１として、発光ダイオードを用いる場合、点灯回路部２は、外部から供給される商用交流電力を直流電力に変換するＡＣ−ＤＣコンバータ、限流抵抗や発光ダイオードに流れる電流を制御する駆動制御部などにより適宜に構成すればよい。
【００５１】
また、点灯回路部２は、制御部４によって制御され、光源部１を点灯、消灯や調光させることが可能な構成とすればよい。なお、照明器具１０は、光源部１を点灯するために、外部の電源（たとえば、商用電源）と電気的に接続させればよい。
【００５２】
本実施形態の照明器具１０に用いられる人感センサ部３は、たとえば、人Ｈから発せられる熱線を検知する焦電素子を備えて構成することができる。また、人感センサ部３としては、焦電素子を備えたものだけに限られず、電波式ドップラーセンサ素子を備えたものでもよい。なお、人感センサ部３は、１個だけに限られず、複数個配置させてもよい。この場合、照明器具１０は、各人感センサ部３からの出力を制御部４にそれぞれ入力すればよい。人感センサ部３は、人Ｈの存在の有無を検知して検知信号を無線や有線により制御部４に伝送できる構成としてもよい。
【００５３】
また、人感センサ部３は、焦電素子や電波式ドップラーセンサ素子から出力される信号を増幅して制御部４側へ出力するアンプ回路部（図示していない）を内蔵させてもよい。
【００５４】
本実施形態の照明器具１０に用いられる制御部４は、光源部１の点灯時に、点灯回路部２を制御して光源部１に供給される電力を調整することが可能なものである。
【００５５】
このような制御部４は、マイクロコンピュータなどを用いて構成することができる。制御部４は、マイクロコンピュータなどにより構成させることにより、たとえば、人感センサ部３からの人Ｈの存在を知らせる検知信号に基づいて、点灯回路部２を制御し、光源部１から照射される照明光の点灯、消灯、調光や色温度の調整などをすることができる。
【００５６】
制御部４は、通常の動作として、人感センサ部３からの検知信号が制御部４に入力された場合、点灯維持時間となる一定の時間（たとえば、１０秒）の間、光源部１を点灯させる。制御部４は、人感センサ部３からの検知信号が制御部４に入力されていない状態が上記点灯維持時間を越えて続いた場合、光源部１を消灯させることができるように構成されている。
【００５７】
また、人感センサ部３の故障の有無を判断する照明器具１０の故障診断モードとして、制御部４は、光源部１を消灯させる際、消灯から所定の時間（たとえば、１秒）の間に、人感センサ部３からの検出信号があるかどうかを確認する。制御部４は、上記所定の時間の間に人感センサ部３から検出信号があれば正常であると判断する。また、制御部４は、上記所定の時間の間に人感センサ部３から検出信号がなければ、人感センサ部３が故障していると判断する。また、制御部４は、消灯から所定の時間（たとえば、１秒）の間に、人感センサ部３から検出信号があっても、人Ｈを検知したことによる検知信号ではなく、光源部１の点灯状態の変化を検出したとして、光源部１を点灯させる動作を行わないように制御する。
【００５８】
たとえば、人感センサ部３が焦電素子であれば、検知範囲において、人Ｈから放射される熱線による温度の変化を検出する。また、人感センサ部３に電波式ドップラーセンサ素子を備えて構成した場合であれば、送信される電波としてマイクロ波などの送信波ＴＷ１の周波数と、移動する人Ｈに反射して戻ってくる反射波ＲＷ２の周波数とを比較して、ドップラー効果により変化する周波数の違いを検出する。
【００５９】
さらに、制御部４は、人感センサ部３を故障と判断した場合、故障に対応する予め決められた動作を行う。制御部４は、たとえば、点灯回路部２を制御して光源部１を連続的な点灯状態にさせる。制御部４は、報知部７を駆動させて報知音を発生させる。また、制御部４は、通信部５を介して故障信号を外部の制御機器６などに送信させることができる。
【００６０】
ここで、報知部７は、制御部４によって制御され報知音を発生可能なブザーなどにより構成することができる。
【００６１】
記憶部８は、制御部４が人感センサ部３を故障と判断した場合に、光源部１を予め記憶された所定の状態に点灯させる制御内容に基づいて制御部４が点灯回路部２を制御するために用いられる。記憶部８は、制御部４と電気的に接続されていればよく、たとえば、マイクロコンピュータを構成する制御部４に内蔵したＥＥＰＲＯＭなどを利用することもできる。
【００６２】
照明器具１０は、報知部７からの報知音の報知により、利用者に人感センサ部３の故障を知らせることができる。また、照明器具１０は、通信部５からの故障信号の出力を外部の制御機器６の表示パネルに表示などさせることにより、利用者に人感センサ部３の故障を知らせることができる。これにより、照明器具１０は、利用者に故障した人感センサ部３の交換を促すことができる。
【００６３】
（実施形態２）
本実施形態の照明器具１０は、図１で示した実施形態１の制御部４が光源部１を消灯状態とさせる際に光源部１の点灯から消灯の状態の変化を検出して人感センサ部３の故障の有無を判断する代わりに、所定の一定時間ごとに光源部１が点灯と消灯とを繰り返す点滅状態とする上記制御信号を、制御部４が点灯回路部２に出力して人感センサ部３の故障の有無を判断する点が異なる。なお、実施形態１と同様の構成要素には、同一の符号を付して説明を適宜省略する。
【００６４】
本実施形態の照明器具１０は、制御部４が一定時間ごとに上記制御信号を強制的に点灯回路部２に出力できるように図示していないタイマ部を有している。
【００６５】
これにより、照明器具１０は、一定時間ごとに人感センサ部３の故障判断を自動的に行うことで、利用者が人感センサ部３の故障を早期に確認することが可能となる。
【００６６】
すなわち、照明器具１０は、一定時間ごとに人感センサ部３の故障の検出を自動で行うことが可能となる。
【００６７】
（実施形態３）
本実施形態の照明器具１０は、図１で示した実施形態１のごとく、照明器具１０を１台だけで用いる代わりに、図７に示す照明制御システムを構築するように複数個（ここでは、４台）の照明器具１０で用いられている点が異なる。照明制御システムは、複数個の照明器具１０それぞれが外部の制御機器６と電気的に接続され、制御機器６からの点検信号に基づき、各照明器具１０それぞれの人感センサ部３の故障の有無を判断する故障診断ができるように構成されている。なお、実施形態１と同様の構成要素には、同一の符号を付して説明を適宜省略する。
【００６８】
本実施形態の照明器具１０は、それぞれ実施形態１の照明器具１０と略同一の構成であって、照明器具１０が外部に別途に設けられた制御機器６からの点検信号を通信部５で受信したとき、制御部４が点検信号に基づいて、光源部１が点灯と消灯とを繰り返す点滅状態とする上記制御信号を点灯回路部２に出力するように構成している。また、照明器具１０の制御部４は、人感センサ部３の故障の有無を通信部５を介して制御機器６側に出力させている。これにより、本実施形態の照明器具１０は、複数個の照明器具１０の人感センサ部３の故障の有無を外部の制御機器６で一括して把握することが可能な照明システムを構成することが可能となる。
【００６９】
ここで、通信部５は、制御部４によって制御され、制御部４が人感センサ部３を故障していると判断した場合、無線あるいは有線により故障信号を送信することが可能に構成している。故障信号は、たとえば、人感センサ部３の故障を示す情報と、複数個の照明器具１０のうち、どの照明器具１０であるかを識別する識別番号情報とを含めることができる。なお、制御部４は、点検の結果、人感センサ部３を正常であると判断すれば、人感センサ部３の正常を示す情報と、照明器具１０の識別番号情報を含む信号を通信部５から送信してもよいし、送信しなくともよい。
【００７０】
本実施形態の照明器具１０が用いられる照明制御システムでは、制御機器６を操作することにより、利用者が遠隔地から任意のタイミングで、人感センサ部３の故障の有無を確認することが可能となる。
【００７１】
（実施形態４）
本実施形態の照明器具１０は、図６で示した実施形態１の照明器具１０のように、制御部４が点灯回路部２を制御することにより、光源部１の点灯や消灯を行うだけでなく、図８（ａ）に示すように、光源部１を点灯状態や消灯状態とさせる際に光源部１から照射させる照明光の明るさを徐々に変化させるフェードを行って光源部１から照射される照明光の明るさを滑らかに変化するように点灯回路部２を制御させる点が異なる。なお、実施形態１と同様の構成要素には、同一の符号を付して説明を適宜省略する。
【００７２】
実施形態１の照明器具１０では、図６で示したように、人感センサ部３が人Ｈの存在を検知し、人感センサ部３からの検知信号に基づいて、制御部４が点灯回路部２を介して光源部１の点灯や消灯を行っている。これに対し、本実施形態の照明器具１０は、図８（ａ）の時間ｔ８から時間ｔ９で示すように、人感センサ部３からの検知信号を受けて光源部１を点灯状態とさせる際に、制御部４が点灯回路部２を制御させて光源部１が消灯した状態から徐々に明るくなるフェードインを行っている。同様に、制御部４は、図８（ａ）の時間ｔ１０から時間ｔ１１で示すように光源部１を消灯状態とさせる際に、光源部１が明るい状態から徐々に暗くして消灯した状態とするフェードアウトができるように点灯回路部２を制御させている。
【００７３】
照明器具１０は、制御部４が光源部１を徐々に明るくなるように点灯回路部２を制御することにより、光源部１の点灯をフェードインさせて、光源部１の点灯時における急激な明るさの変化に伴う人Ｈの違和感を低減させることができる。同様に、照明器具１０は、制御部４が光源部１を徐々に暗くなるように点灯回路部２を制御することにより、光源部１の消灯をフェードアウトさせて、光源部１の消灯時における急激な明るさの変化に伴う人Ｈの違和感を低減させることができる。
【００７４】
ところで、照明器具１０は、光源部１の点灯をフェードインさせたり、光源部１の消灯をフェードアウトさせりする場合、光源部１の点灯状態の変化があっても、人感センサ部３が反応しない場合がある。そのため、本実施形態の照明器具１０では、通常時において、制御部４が光源部１の点灯時にフェードインするように点灯回路部２を制御する。同様に、照明器具１０は、通常時において、制御部４が光源部１の消灯時にフェードアウトするように点灯回路部２を制御することで明るさの変化に伴う人Ｈの違和感を低減させる。また、照明器具１０は、人感センサ部３の点検時において、制御部４が光源部１の点灯をフェードインさせたり、光源部１の消灯をフェードアウトさせたりすることなく、瞬時に光源部１を点灯や消灯させるように点灯回路部２を制御することで、人感センサ部３の故障を検出することを可能としている。
【００７５】
より具体的には、本実施形態の照明器具１０では、制御部４が通常の点灯制御として、図８（ａ）に示すように、人感センサ部３からの検知信号（図示していない）を受けて、光源部１から照射される照明光の明るさを滑らかに変化させるフェードインを行った場合、人感センサ部３の故障の有無を検知していない。すなわち、照明器具１０の制御部４は、人感センサ部３からの検知信号を受けて、制御部４が時間ｔ８から時間ｔ９の間に光源部１をフェードインするように点灯回路部２を制御する。そして、照明器具１０の制御部４は、点灯維持時間を経過した後、時間ｔ１０から時間ｔ１１の間に光源部１をフェードアウトするように点灯回路部２を制御する。なお、図８（ａ）では、光源部１の状態の変化を検出して出力する人感センサ部３からの検出信号の状態のみを図示している。
【００７６】
これに対し、人感センサ部３の故障の有無を検知させる場合、照明器具１０の制御部４は、図８（ｂ）に示すように、光源部１の点灯時にフェードイン、光源部１の消灯時にフェードアウトとなるように点灯回路部２を制御することなく、瞬時に光源部１を消灯から点灯の状態や点灯から消灯の状態となるように点灯回路部２を制御する。すなわち、照明器具１０は、たとえば、照明器具１０が外部に別途に設けられた制御機器６からの点検信号を受けて、人感センサ部３の故障の有無を検知させる場合、制御部４が時間ｔ１２に光源部１をフェードインの制御を行うことなく瞬時に点灯するように点灯回路部２を制御する。そして、照明器具１０の制御部４は、点灯維持時間を経過した後、制御部４が時間ｔ１４において光源部１をフェードアウトの制御を行うことなく瞬時に消灯するように点灯回路部２を制御する。
【００７７】
これにより、照明器具１０は、人感センサ部３が正常な場合、光源部１の点灯に伴い、たとえば、時間ｔ１２から時間ｔ１３の間において人感センサ部３から検出信号を検出することができる。同様に、照明器具１０は、人感センサ部３が正常な場合、光源部１の消灯に伴い、たとえば、時間ｔ１４から時間ｔ１５において人感センサ部３から検出信号を検出することができる。なお、図８（ｂ）では、光源部１の状態の変化を検出して出力する人感センサ部３からの検出信号の状態のみを図示している。
【符号の説明】
【００７８】
Ｈ  人
１  光源部
２  点灯回路部
３  人感センサ部
４  制御部
６  制御機器
７  報知部
１０  照明器具
【図１】
2012155874.tif 000003
【図２】
2012155874.tif 000004
【図３】
2012155874.tif 000005
【図４】
2012155874.tif 000006
【図５】
2012155874.tif 000007
【図６】
2012155874.tif 000008
【図７】
2012155874.tif 000009
【図８】
2012155874.tif 000010
【図９】
2012155874.tif 000011